(57)【要約】【課題】装置の構成を変えることなく、シール部材と回収ローラーとの間に異物が蓄積して、シール部材と回収ローラーとの間に隙間が発生する事態を回避する。【解決手段】画像形成装置は、像担持体と、トナー像形成部と、転写部材と、動作制御部と、除去ローラーと、回収ローラーと、クリーニングブレードと、回収ローラーに接触して回収ローラー上のトナーの逆流を規制するシール部材と、トナーコンテナーと、を備える。そして動作制御部は、トナー像の転写時において、予め定められた第１の強度の転写バイアスを転写部材に印加させる動作を行う通常動作モードに加えて、転写部材に印加される転写バイアスを調整して、通常動作モードよりもトナー像の転写時またはトナー像の非転写時において像担持体上に残存するトナーの量を増加させて、回収ローラー上のトナーの量を増加させる動作を行う清掃動作モードを有する。【選択図】図５
2017227845.tif 000002
【特許請求の範囲】
【請求項１】
像担持体と、
前記像担持体にトナーを供給して、前記像担持体上にトナー像を形成するトナー像形成部と、
転写バイアスが印加され、当該転写バイアスにより前記トナー像を前記像担持体上から記録紙に転写させる転写部材と、
記録紙にトナー像が転写された後に前記像担持体上に残存するトナーを除去するクリーニング装置と、
前記転写部材による転写動作及び前記クリーニング装置による清掃動作を制御する動作制御部と、を備え、
前記クリーニング装置は、
前記像担持体に接触しながら回転して、記録紙にトナー像が転写された後に当該像担持体上に残存するトナーを除去する除去ローラーと、
前記除去ローラーに接触しながら回転して、前記除去ローラー上のトナーを前記除去ローラーから回収する回収ローラーと、
前記回収ローラーに接触して前記回収ローラー上のトナーを掻き取るクリーニングブレードと、
前記クリーニングブレードよりも前記回収ローラーの回転方向上流側に配置され、前記回収ローラーに接触して前記回収ローラー上のトナーの逆流を規制するシール部材と、
前記除去ローラー及び前記回収ローラーからは前記シール部材によって仕切られ、前記回収ローラーにより回収されて前記クリーニングブレードにより掻き取られたトナーを収容するトナー収容部と、を有し、
前記動作制御部は、印刷対象とされる画像データに基づいて前記トナー像形成部により形成されたトナー像の転写時において、予め定められた第１の強度の転写バイアスを前記転写部材に印加させる動作を行う通常動作モードに加えて、前記転写部材に印加される転写バイアスを調整して、前記通常動作モードよりも前記トナー像の転写時または前記トナー像の非転写時において前記像担持体上に残存するトナーの量を増加させて、前記回収ローラーに回収されるトナーの量を増加させる動作を行う清掃動作モードを有する、画像形成装置。
【請求項２】
前記動作制御部は、前記清掃動作モードにおける前記トナー像の転写中に、前記第１の強度の転写バイアスよりも弱い強度の第２の転写バイアスを前記転写部材に印加させることで、トナー像の転写中において前記通常動作モード時よりも前記像担持体上に残存するトナーの量を増加させ、前記回収ローラー上のトナーの量を増加させる、請求項１に記載の画像形成装置。
【請求項３】
前記動作制御部は、前記清掃動作モードにおける前記トナー像の非転写中に、前記トナー像形成部に予め定められたトナー像を前記像担持体上に形成させるとともに、前記転写部材に転写バイアスを印加させない状態で前記クリーニング装置を動作させることで、前記トナー像を前記クリーニング装置に回収させて前記回収ローラーにトナーを回収させる、請求項１に記載の画像形成装置。
【請求項４】
前記動作制御部は、本画像形成装置が複数のトナーコンテナーを備える場合、当該複数のトナーコンテナーのうちトナーの残量が最も多いトナーコンテナーから供給されるトナーを用いて、前記清掃動作モードにおけるトナー像の非転写中に、前記トナー像形成部に前記予め定められたトナー像を前記像担持体上に形成させる、請求項３に記載の画像形成装置。
【請求項５】
前記動作制御部は、トナー像を転写させた記録紙の枚数をカウントし、当該枚数が予め定められた枚数以上となった場合に前記清掃動作モードを実行する、請求項１乃至請求項４の何れか１項に記載の画像形成装置。
【発明の詳細な説明】
【技術分野】
【０００１】
本発明は、画像形成装置に関し、特に、像担持体上に残存するトナーを除去する技術に関する。
【背景技術】
【０００２】
所謂電子写真方式の画像形成装置では、転写ベルトなどの像担持体上にトナー像を形成して、当該トナー像を電気的に記録紙に転写することで、記録紙上に画像を形成している。トナー像の転写時において適切な転写バイアスを印加したとしても、像担持体上のトナーを全て残らず記録紙側に転写させることは難しく、トナー像の転写後に像担持体上にトナーが残存する場合がある。このため、画像形成装置では、像担持体上に残存するトナーを除去するクリーニング装置が設けられている（例えば、下記特許文献１〜３を参照）。
【先行技術文献】
【特許文献】
【０００３】
【特許文献１】特開２００２−２０７３４２号公報
【特許文献２】特開２００９−３６９４２号公報
【特許文献３】特開２０１０−４８８４８号公報
【発明の概要】
【発明が解決しようとする課題】
【０００４】
ここで、上記のクリーニング装置として、像担持体上に残存するトナーを除去する除去ローラーと、当該除去ローラー上のトナーを回収する回収ローラーとを備える装置を採用することが考えられる。この装置では、回収ローラーの外周面に沿って、回収ローラー上においてトナーの逆流を防止するためのシール部材と、回収ローラー上のトナーを掻き取るクリーニングブレードとが設けられている。
【０００５】
しかしながら、上記の装置では、紙粉などの異物がシール部材と回収ローラーとの間に蓄積する場合がある。この場合、シール部材と回収ローラーとの間に隙間ができトナーの逆流が生じるおそれがある。トナーの逆流が生じると、クリーニング装置で回収したトナーが像担持体側に移動してトナー像が汚れるおそれがあり、画像形成の品質が低下する。
【０００６】
本発明は、上記の事情に鑑みなされたものであり、装置の構成を変えることなく、シール部材と回収ローラーとの間に異物が蓄積して、シール部材と回収ローラーとの間に隙間が発生する事態を回避することを目的とする。
【課題を解決するための手段】
【０００７】
本発明の一局面に係る画像形成装置は、像担持体と、前記像担持体にトナーを供給して、前記像担持体上にトナー像を形成するトナー像形成部と、転写バイアスが印加され、当該転写バイアスにより前記トナー像を前記像担持体上から記録紙に転写させる転写部材と、記録紙にトナー像が転写された後に前記像担持体上に残存するトナーを除去するクリーニング装置と、前記転写部材による転写動作及び前記クリーニング装置による清掃動作を制御する動作制御部と、を備え、前記クリーニング装置は、前記像担持体に接触しながら回転して、記録紙にトナー像が転写された後に当該像担持体上に残存するトナーを除去する除去ローラーと、前記除去ローラーに接触しながら回転して、前記除去ローラー上のトナーを前記除去ローラーから回収する回収ローラーと、前記回収ローラーに接触して前記回収ローラー上のトナーを掻き取るクリーニングブレードと、前記クリーニングブレードよりも前記回収ローラーの回転方向上流側に配置され、前記回収ローラーに接触して前記回収ローラー上のトナーの逆流を規制するシール部材と、前記除去ローラー及び前記回収ローラーからは前記シール部材によって仕切られ、前記回収ローラーにより回収されて前記クリーニングブレードにより掻き取られたトナーを収容するトナー収容部と、を有し、前記動作制御部は、印刷対象とされる画像データに基づいて前記トナー像形成部により形成されたトナー像の転写時において、予め定められた第１の強度の転写バイアスを前記転写部材に印加させる動作を行う通常動作モードに加えて、前記転写部材に印加される転写バイアスを調整して、前記通常動作モードよりも前記トナー像の転写時または前記トナー像の非転写時において前記像担持体上に残存するトナーの量を増加させて、前記回収ローラーに回収されるトナーの量を増加させる動作を行う清掃動作モードを有する、画像形成装置である。
【発明の効果】
【０００８】
上記の構成によれば、装置の構成を変えることなく、シール部材と回収ローラーとの間に異物が蓄積して、シール部材と回収ローラーとの間に隙間が発生する事態を回避することができる。
【図面の簡単な説明】
【０００９】
【図１】本発明の一実施形態にかかる画像形成装置の構造を示す断面図である。
【図２】本発明の一実施形態にかかる画像形成装置の主要内部構成を示す機能ブロック図である。
【図３】本発明の一実施形態にかかる画像形成装置のクリーニング装置及びその周りの構造を示す断面図である。
【図４】本発明の一実施の形態にかかる画像形成装置のクリーニング装置の構造を示す斜視図である。
【図５】本発明の一実施の形態にかかる画像形成装置の動作の流れを示すフローチャートである。
【図６】（Ａ）および（Ｂ）は、本発明の一実施の形態にかかる画像形成装置の回収ローラー上のトナーおよび紙粉を模式的に示す図である。
【図７】本発明の変形例にかかる画像形成装置の動作の流れを示すフローチャートである。
【発明を実施するための形態】
【００１０】
以下、本発明の一実施形態にかかる画像形成装置について図面を参照して説明する。
【００１１】
図１は、本発明の一実施形態にかかる画像形成装置の構造を示す断面図である。図２は、本発明の一実施形態にかかる画像形成装置の主要内部構成を示す機能ブロック図である。
【００１２】
本発明の一実施形態にかかる画像形成装置１は、例えば、コピー機能、プリンター機能、スキャナー機能、及びファクシミリ機能のような複数の機能を兼ね備えた複合機である。画像形成装置１は、装置本体１１に、操作部４７、画像形成部１２、定着部１３、及び給紙部１４などを備えて構成されている。
【００１３】
操作部４７は、画像形成装置１が実行可能な各種動作及び処理について、操作者から指示を受け付ける。
【００１４】
画像形成装置１が画像形成動作を行う場合は、原稿読取動作により生成された画像データ、ネットワーク接続されたコンピューターから受信した画像データ、又は内蔵ＨＤＤに記憶されている画像データなどに基づいて、画像形成部１２が、給紙部１４から給紙される記録媒体としての記録紙にトナー画像を形成する。
【００１５】
画像形成部１２の画像形成ユニット１２Ｍ、１２Ｃ、１２Ｙ、及び１２Ｂｋは、感光体ドラム１２１と、現像装置１２２と、トナーを収容するトナーカートリッジ（不図示）と、帯電装置１２３と、露光装置１２４と、一次転写ローラー１２６と、をそれぞれ備えている。
【００１６】
カラー印刷を行う場合、画像形成部１２のマゼンタ用の画像形成ユニット１２Ｍ、シアン用の画像形成ユニット１２Ｃ、イエロー用の画像形成ユニット１２Ｙ及びブラック用の画像形成ユニット１２Ｂｋは、それぞれに、画像データを構成するそれぞれの色成分からなる画像に基づいて、帯電、露光及び現像の工程により感光体ドラム１２１の外周面にトナー画像を形成する。
【００１７】
一次転写ローラー１２６は、中間転写ベルト１２５（像担持体）を介して、感光体ドラム１２１に対向して配置されている。各感光体ドラム１２１と各一次転写ローラー１２６との間にはニップ部が形成される。また、一次転写ローラー１２６は、電源である一次転写バイアス印加部１２６１と接続されており、一次転写バイアスが印加される。当該一次転写バイアスにより、上記のニップ部において各感光体ドラム１２１の外周面に形成された各色のトナー画像が中間転写ベルト１２５の外周面に電気的に転写される。
【００１８】
中間転写ベルト１２５は、駆動ローラー１２５Ａによって駆動され、駆動ローラー１２５Ａと従動ローラー１２５Ｂとの間を無端走行する。中間転写ベルト１２５の外周面には、各色のトナー画像が重ね合わされて、カラーのトナー画像が形成される。
【００１９】
二次転写ローラー２１０（転写部材）は、中間転写ベルト１２５を介して、駆動ローラー１２５Ａに対向して配置されている。二次転写ローラー２１０は、電源である二次転写バイアス印加部２１０１と接続されており、二次転写バイアスが印加される。当該二次転写バイアスにより、中間転写ベルト１２５の表面に形成されたカラーのトナー画像が、中間転写ベルト１２５を挟んで駆動ローラー１２５Ａとのニップ部において、給紙部１４から搬送路１９０を搬送されてきた記録紙に電気的に転写される。この後、定着部１３が、記録紙上のトナー画像を熱圧着により記録紙に定着させる。定着処理の完了したカラー画像形成済みの記録紙は、排出トレイ１５１に排出される。
【００２０】
上記の構成において、現像装置１２２、帯電装置１２３、及び露光装置１２４が、像担持体としての中間転写ベルトにトナーを供給して、像担持体上にトナー像を形成するトナー像形成部としての役割を果たす。
【００２１】
画像形成装置１は、更に、従動ローラー１２５Ｂに張架された中間転写ベルト１２５部分に、クリーニング装置７０を備えている。クリーニング装置７０は、中間転写ベルト１２５の外周面に形成されたトナー画像が記録紙に転写された後に、中間転写ベルト１２５の外周面上に残存するトナーを回収する。また、中間転写ベルト１２５の走行方向におけるクリーニング装置７０よりも上流側には、帯電ブラシ（帯電部材）８０が設けられている。
【００２２】
図３は、クリーニング装置７０及びその周りの構造を示す断面図である。図４は、クリーニング装置７０の構造を示す斜視図である。
【００２３】
帯電ブラシ８０は、固定ブラシであって、中間転写ベルト１２５の外周面にそのブラシ面が接触するように配置されている。また、帯電ブラシ８０は、帯電バイアス印加部８０１と接続されている。帯電バイアス印加部８０１は、後述する動作制御部１０１によりその動作が制御され、画像形成動作時に、正規帯電極性と同極性のバイアスを帯電ブラシ８０に対して印加する。一方、帯電ブラシ８０に対向する位置にある従動ローラー１２５Ｂは接地されている。ここで、記録紙へのカラー画像の転写後に中間転写ベルト１２５の外周面に残存する残存トナーの帯電電荷は均一でない。例えば、中間転写ベルト１２５から記録紙が分離する際に生じる剥離放電等により、正規帯電極性（本実施の形態ではプラス）とは逆極性（本実施の形態ではマイナス）に帯電する残存トナーが存在する。帯電ブラシ８０は、帯電バイアス印加部８０１から正規帯電極性と同極性のバイアスが印加されることで、残存トナーに対して正規帯電極性と同極性の電荷を付与する。これにより、残存トナーの帯電電荷を均一にすることができ、クリーニング装置７０での残存トナーの回収性を向上させることができる。
【００２４】
クリーニング装置７０は、ファーブラシ７１（除去ローラー）と、回収ローラー７２と、シール部材７３と、クリーニングブレード７４と、トナー貯留部７５と、トナー搬送スクリュー７６とを有している。
【００２５】
ファーブラシ７１は、従動ローラー１２５Ｂに張架された状態の中間転写ベルト１２５の外周面に接触して、画像形成時に当該外周面上に残存しているトナーをファーブラシ７１に移動させることによって除去する。ファーブラシ７１は、回転軸と回転軸の周面に立設された複数の起毛とで構成されている。ファーブラシ７１の回転軸は、従動ローラー１２５Ｂの回転軸方向に延び、ケーシング７７に軸支されている。ファーブラシ７１は、不図示の駆動機構により、回転軸を回転中心として従動ローラー１２５Ｂの回転方向と同一方向に回転される。
【００２６】
また、ファーブラシ７１は不図示の電源部から、回収ローラー７２を介して正規帯電極性とは逆極性のバイアスが印加されている。これにより、中間転写ベルト１２５の外周面に残存しているトナーを電気的に吸着して回収することができる。
【００２７】
回収ローラー７２は、ファーブラシ７１の表面に接触して、画像形成時にファーブラシ７１が除去したトナーをファーブラシ７１から回収ローラー７２に移動させることによって回収する。回収ローラー７２の回転軸は、ファーブラシ７１の回転軸方向に延び、ケーシング７７に軸支されている。回収ローラー７２は、回転軸を回転中心としてファーブラシ７１の回転方向とは逆方向に回転する。
【００２８】
回収ローラー７２は、不図示の電源部と接続され、画像形成時に、トナーの正規帯電極性とは逆極性のバイアスが印加される。このため、回収ローラー７２の電位が、ファーブラシ７１の電位より低くなるので、ファーブラシ７１が回収したトナーを電気的に吸着して回収することができる。
【００２９】
クリーニングブレード７４は、平板状部材からなり、回収ローラー７２の回転軸方向に延びる。クリーニングブレード７４は、先端部が回収ローラー７２の表面に接触するようにケーシング７７に取り付けられている。クリーニングブレード７４は、回収ローラー７２の表面から、回収ローラー７２が回収したトナーを掻き取る。当該掻き取られたトナーは、トナー貯留部７５に落下して溜まる。
【００３０】
シール部材７３は、例えばウレタン等の可撓性素材からなり、その一部が回収ローラー７２の表面に柔軟に接触するようにトナー貯留部７５に取り付けられている。シール部材７３は、シール部材７３の先端部と回収ローラー７２の表面との接触位置において、回収ローラー７２の表面に付着したトナーを通過させる。また、シール部材７３は、クリーニングブレード７４により回収ローラー７２から掻き取られたトナーについて、トナー貯留部７５からファーブラシ７１側への逆流を規制する。
【００３１】
トナー貯留部７５は、ファーブラシ７１及び回収ローラー７２からはシール部材７３によって仕切られ、回収ローラー７２により回収されてクリーニングブレード７４により掻き取られたトナーを収容する。トナー貯留部７５には、トナー搬送スクリュー７６が設けられている。トナー搬送スクリュー７６は、回収ローラー７２の回転軸方向に延び、その回転軸７６１はケーシング７７に軸支されている。トナー搬送スクリュー７６の回転軸７６１の周面には、螺旋状にトナー搬送羽根７６２が設けられており、当該トナー搬送羽根７６２によって、トナー貯留部７５内のトナーが、回転軸７６１方向における所定位置に集められる。これにより、中間転写ベルト１２５の外周面上の残存トナーが回収される。
【００３２】
図２に戻って、画像形成装置１は、更に、制御ユニット１０を備える。制御ユニット１０は、ＣＰＵ(Central Processing Unit)、ＲＡＭ（Random Access Memory）、ＲＯＭ（Read Only Memory）及び専用のハードウェア回路等から構成される。制御ユニット１０は、上記のＲＯＭや内蔵のＨＤＤに記憶されたプログラムが上記のＣＰＵに実行されることにより、制御部１００及び動作制御部１０１として機能する。
【００３３】
制御部１００は、画像形成装置１の全体的な動作制御を司る。制御部１００は、画像形成部１２、定着部１３、給紙部１４、操作部４７などと接続されている。制御部１００は、接続されている上記各部の動作制御や、各部との間での信号又はデータの送受信を行う。
【００３４】
動作制御部１０１は、画像形成部１２による画像形成動作を制御する機能を有する。
【００３５】
続いて、上記の構成を備える画像形成装置１の動作の流れを説明する。図５は、画像形成時おける画像形成装置１の動作の流れを示すフローチャートである。
【００３６】
図５に示すように、制御部１００は、印刷ジョブを開始する旨の指示を受け付けたか否かを判定する（ステップＳ１０）。
【００３７】
印刷ジョブを開始する旨の指示を受け付けた場合（ステップＳ１０においてＹＥＳ）、動作制御部１０１は、画像形成動作を通常の動作モードで行うか否かを判定する（ステップＳ１１）。
【００３８】
ここで動作制御部１０１は、画像形成時の動作モードとして、２つの動作モードを有する。第１の動作モードは、通常の動作モードであり、動作制御部１０１は、印刷対象とされる画像データに基づいて形成されたトナー画像の転写時において、予め定められた第１の強度の転写バイアスを二次転写バイアス印加部２１０１に印加させる。この予め定められた第１の強度の転写バイアスは、中間転写ベルト１２５の外周面に形成されたトナー画像が記録紙側に適切な品質で転写されるために、画像形成装置１の設計時におけるパラメーターの調整により設定された値である。
【００３９】
第２の動作モードは、清掃動作モードであり、動作制御部１０１は、トナー画像の転写時において、予め定められた第１の強度よりも弱い強度である第２の強度の転写バイアスを二次転写バイアス印加部２１０１に印加させる。当該２つの動作モードは、二次転写バイアスの強度が異なること以外は同じものである。
【００４０】
操作部４７に対するユーザー操作により、第１の動作モードで動作すべきことが設定されている場合（ステップＳ１１においてＹＥＳ）、動作制御部１０１は、第１の動作モードで画像形成動作を実行する（ステップＳ１２）。すなわち、動作制御部１０１は、トナー画像の転写時において第１の強度の転写バイアスを二次転写バイアス印加部２１０１に印加させて、画像形成動作を実行する。
【００４１】
一方、第２の動作モードで動作すべきことが設定されている場合（ステップＳ１１においてＮＯ）、動作制御部１０１は、第２の動作モードで画像形成動作を実行する（ステップＳ１３）。すなわち、動作制御部１０１は、トナー画像の転写時において第２の強度の転写バイアスを二次転写バイアス印加部２１０１に印加させて、画像形成動作を実行する。ここで、第１の強度の転写バイアスが、中間転写ベルト１２５の外周面に形成されたトナー画像が記録紙側に適切な品質で転写されるために設定された値であるため、この第１の強度よりも弱い第２の強度の転写バイアスによりトナー画像の転写を行った場合、中間転写ベルト１２５上に残存するトナーの量が増加することになる。このことによる効果を以下で説明する。
【００４２】
既述の通り、回収ローラー７２は、画像形成時にトナーの正規帯電極性とは逆極性のバイアスが印加される。回収ローラー７２上のトナーは、電気的な力で引き付けられているのでシール部材７３を通過する。しかし、紙粉など異物が回収ローラー７２上に来た場合、シール部材７３と回収ローラー７２のニップ部で引っ掛かり溜まることがある。その場合、図６（Ａ）に示すように、シール部材７３と回収ローラー７２との間に隙間ができ、トナーの逆流が生じるおそれがある。トナーの逆流が生じると、クリーニング装置７０で回収したトナーが中間転写ベルト１２５側に移動してトナー像が汚れるおそれがあり、画像形成の品質が低下する（トナー落ち）。
【００４３】
上記の事態を回避するために、画像形成装置１では、動作制御部１０１がトナー画像の転写時において第１の強度よりも弱い強度の転写バイアスを二次転写バイアス印加部２１０１に印加させて、画像形成動作を実行することにより、中間転写ベルト１２５上に残存するトナーの量をあえて増加させる。これにより、図６（Ｂ）に示すように、回収ローラー７２上のトナーの量が増加する。その結果、紙粉等の異物がシール部材７３と回収ローラー７２のニップ部で引っ掛かり溜まることを防止される。また、紙粉等の異物がシール部材７３と回収ローラー７２のニップ部で引っ掛かり留まったとしても、トナーにより紙粉等の異物を流すことができる。
【００４４】
なお、本発明は、上記の実施の形態の構成に限られず種々の変形が可能である。
【００４５】
＜変形例１＞
上記の実施形態では、第１の動作モードと第２の動作モードとが、二次転写バイアスの強度が異なること以外は同じものである場合を説明したが、本発明は必ずしもこの場合に限定されない。動作制御部１０１は、第２の動作モード時において、現像装置１２２、帯電装置１２３、及び露光装置１２４などのトナー像形成部の動作を制御して、トナー画像の転写時に感光体ドラム１２１へ第１の動作モード時よりも多くのトナーを供給してもよい。この結果、第２の動作モードでは、中間転写ベルト１２５上に第１の動作モード時よりも多くのトナーが供給されるようになる。第２の動作モードでは、第１の動作モードと比較して転写バイアスの強度が弱いため、記録紙に形成される画像が薄くなる場合がある。上記のような制御を行うことにより、記録紙に形成される画像が薄くなる事態を回避することができる。
【００４６】
＜変形例２＞
上記の実施形態では、操作部４７に対するユーザー操作に基づいて、動作制御部１０１が第１の動作モードで動作するか、または第２の動作モードで動作するのかを決定していたが、本発明は必ずしもこの場合に限定されない。動作制御部１０１は、トナー像を転写させた記録紙の枚数をカウントし、当該枚数が予め定められた枚数以上となった場合に第２の動作モードを実行するとしてもよい。
【００４７】
＜変形例３＞
上記の実施形態では、動作制御部１０１がトナー画像の転写時において第１の強度よりも弱い強度の転写バイアスを二次転写バイアス印加部２１０１に印加させて画像形成動作を実行することにより、中間転写ベルト１２５上に残存するトナーの量をあえて増加させる場合を説明したが、本発明は必ずしもこの場合に限定されない。
【００４８】
図７は、変形例３にかかる画像形成装置の動作の流れを示すフローチャートである。なお、図５に示すフローチャートで説明した処理と同様の処理については同符号を付して説明を略する。
【００４９】
変形例３にかかる画像形成装置では、動作制御部１０１は、第１の動作モードにおいて、印刷対象とされる画像データに基づいて形成されたトナー画像の転写時に第１の強度の転写バイアスを二次転写バイアス印加部２１０１に印加させて画像形成動作を実行し、印刷対象とされる画像データに基づいて形成されたトナー画像の非転写時（紙間）に転写バイアスを二次転写バイアス印加部２１０１に印加させずに画像形成動作を実行する（ステップＳ２０）。
【００５０】
一方、動作制御部１０１は、第１の動作モードとは異なる動作モードでは、トナー画像の転写時においては、第１の動作モードと同じ動作を行うが、印刷対象とされる画像データに基づいて形成されたトナー画像の非転写時（紙間）においては、現像装置１２２、帯電装置１２３、及び露光装置１２４などのトナー像形成部を制御して、予め定められたパターンのトナー像(例えばベタ画像)を中間転写ベルト１２５上に形成させる（ステップＳ２１）。また、ステップＳ２１の処理では、動作制御部１０１は、二次転写バイアス印加部２１０１に転写バイアスを印加させない状態で、クリーニング装置７０を動作させる。
【００５１】
上記の処理を行うことで、トナー像の非転写中においてトナー像をクリーニング装置７０に回収させて回収ローラー７２にトナーを供給することができる。その結果、紙粉等の異物がシール部材７３と回収ローラー７２のニップ部で引っ掛かり溜まることを防止される。また、紙粉等の異物がシール部材７３と回収ローラー７２のニップ部で引っ掛かり留まったとしても、トナーにより紙粉等の異物を流すことができる。
【００５２】
なお上記では、紙間において二次転写バイアス印加部２１０１に転写バイアスを印加させる場合を説明したが、画像形成ジョブを実行していない時に二次転写バイアス印加部２１０１に転写バイアスを印加させることで、トナー画像の非転写時に中間転写ベルト１２５上にトナーを流してもよい。
【００５３】
＜変形例４＞
上記の変形例３にかかる画像形成装置において、動作制御部１０１は、画像形成装置１が備える複数のトナーコンテナーのうちトナーの残量が最も多いトナーコンテナーを特定し、当該特定したトナーコンテナーから供給されるトナーを用いて、トナー画像の非転写時に中間転写ベルト１２５上にトナーを流してもよい。
【００５４】
これにより、残量の少ないトナーを紙粉等の異物を流すために用いることで、本来の画像形成に用いるトナーが不足するという事態を回避することができる。
【００５５】
＜その他の変形例＞
上記の実施形態では、中間転写ベルト１２５上の残存トナーを清掃するクリーニング装置７０に適用する場合を説明したが、感光体ドラム１２１上の残存トナーを清掃するクリーニング装置が設けられている場合には、当該クリーニング装置に上記の構成を適用してもよい。
【００５６】
また、上記の実施形態および変形例を組み合わせてもよい。
【符号の説明】
【００５７】
１      画像形成装置
１０    制御ユニット
１２    画像形成部
７０    クリーニング装置
７１    ファーブラシ
７２    回収ローラー
７３    シール部材
７４    クリーニングブレード
７５    トナー貯留部
７６    トナー搬送スクリュー
７７    ケーシング
８０    帯電ブラシ
１００  制御部
１０１  動作制御部
１２１  感光体ドラム
１２２  現像装置
１２３  帯電装置
１２４  露光装置
１２５  中間転写ベルト
１２６  一次転写ローラー
１５１  排出トレイ
１９０  搬送路
２１０  二次転写ローラー
８０１  帯電バイアス印加部
１２６１        一次転写バイアス印加部
２１０１        二次転写バイアス印加部
【図１】
2017227845.tif 000003
【図２】
2017227845.tif 000004
【図３】
2017227845.tif 000005
【図４】
2017227845.tif 000006
【図５】
2017227845.tif 000007
【図６】
2017227845.tif 000008
【図７】
2017227845.tif 000009